【手続補正書】
【提出日】平成20年5月11日(2008.5.11)
【手続補正１】
【補正対象書類名】特許請求の範囲
【補正対象項目名】全文
【補正方法】変更
【補正の内容】
【特許請求の範囲】
【請求項１】
MSによって開始された移動局（MS）とUMAネットワーク・コントローラ（UNC）との間のURR（UMA（無認可モバイル・アクセス）無線リソース）接続を解除する方法で、
MSからUNCへURR要求クリアメッセージを送ることからなり、URR要求クリアメッセージは
プロトコル判別子と、
スキップ・インジケータと、
URR要求クリアメッセージとしてメッセージを識別するメッセージタイプとを含む複数の情報要素（IE）を含むことを特徴とする方法。
【請求項２】
URR接続に利用するリソースを解放するため、UNCを介してMSによってサービスにアクセスされる認可無線アクセス・ネットワークの採用するコア・ネットワークにUNCから要求を送ることからさらになる、請求項１記載の方法。
【請求項３】
URR接続をサポートするコア・ネットワークによって採用される適切なリソースの解放からさらになる、請求項２記載の方法。
【請求項４】
MSによって開始された移動局（MS）とUMAネットワーク・コントローラ（UNC）との間のURR（UMA（無認可モバイル・アクセス）無線リソース）接続を解除する方法で、
UNCからMSへURR解除メッセージを送ることと、
MSからUNCへ、URR解除完了メッセージを送ることとからなり、
URR解除メッセージとURR解除完了メッセージのそれぞれは、
プロトコル判別子と、
スキップ・インジケータと、
メッセージを識別できるメッセージタイプとを含む複数の情報要素（IE）を含むことを特徴とする方法。
【請求項５】
URR解除メッセージはさらに、URR解放の原因を、UMA原因値ルックアップ・テーブルを介して判断できる値を含むUMA RR CAUSE IEを含むことを特徴とする請求項４記載の方法。
【請求項６】
URR解除メッセージはさらに、GPRS（汎用パケット無線サービス）再開IEを含むことを特徴とする請求項４記載の方法。
【請求項７】
MSにおいてすべてのURRリソースとトラフィックチャンネルリソースを解放することと、MSをURR-IDLE状態に入れることとからさらになる、請求項４記載の方法。
【請求項８】
MSがUMAとURR接続するUMAネットワーク・コントローラ（UNC）を含む無認可モバイル・アクセス・ネットワーク（UMAN）を介して移動局（MS）をページングする方法で、
UNCからMSへURRページング要求メッセージを送ることと、
MSからUNCへURRページング応答メッセージを返すこととからなり、
URRページング要求メッセージとURRページング応答メッセージはそれぞれ、
プロトコル判別子と、
スキップ・インジケータと、
メッセージを識別できるメッセージタイプとを含む複数の情報要素（IE）を含み、
ページング要求メッセージはさらに、必要なチャンネルを識別する必要チャンネルIEと、MSを識別するモバイル識別IEとを含むことを特徴とする方法。
【請求項９】
UMAネットワーク・コントローラ（UNC）を介して、無認可モバイル・アクセス・ネットワーク（UMAN）にアクセスする移動局（MS）のクラスマーク調査を実行する方法で、
MSとUNCとの間のURR（UMA無線リソース）接続を確立することと、
UNCからMSへURRクラスマーク問い合わせメッセージを送ることと、
MSからUNCへURRクラスマーク変更メッセージを返すこととからなり、
URRクラスマーク問い合わせメッセージとURRクラスマーク変更メッセージのそれぞれは、
プロトコル判別子と、
スキップ・インジケータと、
メッセージを識別できるメッセージタイプとを含む複数の情報要素（IE）を含むことを特徴とする方法。
【請求項１０】
第１無線アクセス・ネットワークからなるUMAネットワーク（UMAN）で動作する無認可モバイル・アクセス（UMA）ネットワーク・コントローラ（UNC）で、
IP（インターネット・プロトコル）ネットワーク・インターフェースからなる第１ネットワーク・インターフェースと、
Upインターフェースからなる第２ネットワーク・インターフェースで、これを介してMSとUNCとの間に通信可能に接続されたアクセス・ポイントを通じて移動局（MS）とUMAメッセージを送受信するもので、Upインターフェースは、IPネットワーク・インターフェース上に実装された複数の層を含むものと、
第３のネットワーク・インターフェースで、UNCがこれを介して第２無線アクセス・ネットワークにアクセス可能なコア・ネットワークに接続されるものと、
UMANの１以上のMSクライアントとのサーバ側のURR通信をサポートするため、Upインターフェース上で送信された複数のUMA無線リソース（URR）メッセージを生成および/または処理するための手段とからなり、URRメッセージのそれぞれは、
プロトコル判別子と、
スキップ・インジケータと、
メッセージを識別できるメッセージタイプとを含む基本的情報要素（IE）１式を含むことを特徴とするもの。
【請求項１１】
URRメッセージは、MSとUNCとの間で確立されたURR接続に対応するリソースの解放を要求するMSからUNCへ送られるURR要求クリアメッセージを含み、
URR要求クリアメッセージの受信に対して、UNCはメッセージを処理し、認可無線アクセス・ネットワークによって採用されるコア・ネットワークへ要求を送り、そのサービスは、MSがURR接続に用いるリソース解放のためUNCを介してアクセスすることを特徴とする請求項１０記載のUNC。
【請求項１２】
URRメッセージは、
MSとUNCとの間に確立されたURR接続に対応するリソースの解放を開始するため、UNCが生成し、MSに送るURR解除メッセージと、
URR解除メッセージに対してMSが受信し、UNCが処理するURR解除完了メッセージとを含むことを特徴とする請求項１０記載のUNC。
【請求項１３】
URR解除メッセージはさらに、URR解放の原因を、UMA原因値ルックアップ・テーブルを介して判断できる値を含むUMA RR CAUSE IEを含むことを特徴とする請求項１２記載のUNC。
【請求項１４】
URR解除メッセージはさらに、GPRS（汎用パケット無線サービス）再開IEを含むことを特徴とする請求項１２記載のUNC。
【請求項１５】
第１無線アクセス・ネットワークにアクセスするための第１無線インターフェースと、
無認可無線周波数を用いてアクセス・ポイント（AP）を介して無認可モバイル・アクセス・ネットワーク（UMAN）からなる第２の無線アクセス・ネットワークにアクセスするための第２無線インターフェースと、
インターネット・プロトコル（IP）ネットワークを介してAPに通信可能に接続されたUMAネットワーク・コントローラ（UNC）を通じてUMANと通信するためのUpインターフェースと、
UMANの１以上のUNCサーバとのクライアント側のURR通信をサポートするためUpインターフェース上を送信される複数のUMA無線リソース（URR）メッセージを生成および/または処理するための手段とからなり、URRメッセージのそれぞれは、
プロトコル判別子と、
スキップ・インジケータと、
メッセージを識別できるメッセージタイプとを含む基本的情報要素（IE）１式を含むことを特徴とする移動局（MS）。
【請求項１６】
URRメッセージは、
MSとUNCとの間で確立されたURR接続に対応するリソースの解放を要求するため、MSが生成し、MSからUNCへ送られるURR要求クリアメッセージを含むことを特徴とする請求項１５記載の移動局。
【請求項１７】
URRメッセージは、
MSとUNCとの間で確立されたURR接続に対応するリソースの解放を開始するため、UNCからMSへ送られるURR解除メッセージと、
MSが生成し、URR解除メッセージに対してMSからUNCへ返されるURR解除完了メッセージとを含むことを特徴とする請求項１５記載の移動局。
【請求項１８】
URR解除メッセージに対して、移動局は、
URR接続に関連するすべてのURRリソースとトラフィックチャンネルリソースを解放することと、
URR-IDLE状態に入ることとを含む動作を実行することを特徴とする請求項１５記載の移動局。
【請求項１９】
URR解除メッセージはさらに、GPRS（汎用パケット無線サービス）再開IEを含み、URR解除メッセージに対し、移動局は、
GPRS再開IEに含まれるGPRS情報を保存することと、
UMANを介してGPRSサービスを再確立する時にこのGPRS情報を利用することとを含む動作を実行することを特徴とする請求項１５記載の移動局。
【請求項２０】
無認可モバイル・アクセス・ネットワーク（UMAN）からなる第１無線アクセス・ネットワークから第２無線アクセス・ネットワークへのハンドオーバを実行するための方法で、その方法は、
UMAネットワーク・コントローラ（UNC）を介して移動局（MS）とUMANとの間に専用接続を確立することと、
UMANからのハンドオーバが該当すると判断することと、
MSからUNCへURR（UMA無線リソース）ハンドオーバ必要メッセージを送ることと、
UNCからMSへURRハンドオーバ・コマンドを返すこととからなり、
URRハンドオーバ必要メッセージとURRハンドオーバ・コマンドメッセージのそれぞれは、
プロトコル判別子と、
スキップ・インジケータと、
メッセージを識別できるメッセージタイプとを含む基本的情報要素（IE）１式を含み、
URRハンドオーバ必要メッセージはさらに、MSが、UMANからのハンドオーバを完了するため接続できる第２無線アクセス・ネットワークで動作する１以上のセルを識別する少なくとも1個のIEを含むことを特徴とするもの。
【請求項２１】
無認可モバイル・アクセス・ネットワーク（UMAN）に移動局（MS）を登録する方法で、
MSと無線アクセス・ポイント（AP）との間に無線ローカル・エリア・ネットワーク（WLAN）リンクを確立することと、
MSと、APに通信可能に接続された第１UMAネットワーク・コントローラ（UNC）との間に第１のTCP（トランスミッション制御プロトコル）セッションを確立することと、
MSから第1のUNCに送られたURR登録要求メッセージを含む第１のTCPセッションでMSと第１のUNCとの間で複数のURR(UMA無線リソース）登録メッセージを送信することとからなり、
URR 登録メッセージのそれぞれは、
プロトコル判別子と、
スキップ・インジケータと、
メッセージを識別できるメッセージタイプとを含む基本的情報要素（IE）１式を含み、
URR登録要求メッセージはさらに、
MSが識別できるモバイル・アイデンティティIEと、
MSがGSM RRアイドルまたは専用状態であるかを定義するGSM無線リソース（RR）状態IEと、
AP識別子IEとを含むことを特徴とするもの。
【請求項２２】
第２の無線アクセス・ネットワークからなる無認可モバイル・アクセス・ネットワーク（UMAN）を介して第１の無線アクセス・ネットワークがホストする音声ベアラ・サービスにアクセスするため移動局（MS）の音声ベアラ・チャンネルを割り当てる方法で、その方法は、
MSと無線アクセス・ポイント（AP）との間に無線ローカル・エリア・ネットワーク（WLAN）リンクを確立することと、
MSと、APに通信可能に接続されたUMAネットワーク・コントローラ（UNC）との間に専用通信を確立することと、
音声ベアラ・チャンネルを割り当てるため、MSとUNCとの間で複数のURR（
UMA無線リソース）チャンネル起動メッセージを送ることで、URRチャンネル起動メッセージは、音声ベアラ・チャンネルの割り当てを開始するためUNCからMSへ送られるURRチャンネル起動メッセージを含むものとからなり、
URRチャンネル起動メッセージのそれぞれは、
プロトコル判別子と、
スキップ・インジケータと、
メッセージを識別できるメッセージタイプとを含む基本的情報要素（IE）１式を含み、
URRチャンネル起動メッセージはさらに、
音声ベアラ・チャンネルに用いるチャンネル・モードを指定する情報を含む、チャンネル・モードIEを含むことを特徴とするもの。
【請求項２３】
少なくとも１つのプロセッサにより駆動可能なコンピュータプログラムを保存し、
前記コンピュータプログラムは請求項１−３，８および９のいずれかに記載の方法を実行するための指示のセットから成るコンピュータ用読み出し可能媒体。
【請求項２４】
少なくとも１つのプロセッサにより駆動可能なコンピュータプログラムを保存し、
前記コンピュータプログラムは請求項４−７，２０，２１および２２のいずれかに記載の方法を実行するための指示のセットから成るコンピュータ用読み出し可能媒体。
【請求項２５】
請求項１−３，８および９のいずれかに記載の方法を実行するための回路から成る装置。
【請求項２６】
請求項４−７，２０，２１および２２のいずれかに記載の方法を実行するための回路から成る装置。